(57)【要約】【課題】エアー式バフ機のような振動工具の振動取手に取付け、使用者の手に伝わる振動を緩和することのできる防振具を提供する。【解決手段】振動工具１の振動取手２に取付け、使用者の手に伝わる振動を緩和する防振具であって、少なくとも、振動取手２の上面と側面を覆う立体形状を展開した平面形状の上シート１２、下シート１３および防振材１４を、上シート１２と下シート１３の間に防振材１４を挟み、固着手段１５によって固定して防振本体１１を構成し、防振本体１１を、振動取手２の上から被せた後、防振本体１１の周端部を、絞り手段１６によって絞り、少なくとも、振動取手２の上面と側面を覆った状態で固定する。【選択図】      図４
2004255537.tif 000002
【特許請求の範囲】
【請求項１】
振動工具（１）の振動取手（２）に取付け，使用者の手に伝わる振動を緩和する防振具であって、
少なくとも，前記振動取手の上面と側面を覆う立体形状を展開した平面形状の上シート（１２），下シート（１３）および防振材（１４）を，前記上シートと下シートの間に防振材を挟み，固着手段（１５）によって固定して防振本体（１１）を構成し、
前記防振本体を，前記振動取手の上から被せた後，該防振本体の周端部を，絞り手段（１６）によって絞り，少なくとも，前記振動取手の上面と側面を覆った状態で固定するものである振動取手用防振具。
【請求項２】
振動工具（１）の振動取手（２）に取付け，使用者の手に伝わる振動を緩和する防振具であって、
少なくとも，前記振動取手の上面と側面を覆う略短円筒形状を展開した平面形状である円形の上シート（１２）と下シート（１３），および円形部（１４ａ）から複数の脚部（１４ｂ）を突設した略歯車形状の防振材（１４）を，前記上シートと下シートの間に防振材を挟み，固着手段（１５）であるホットメルトシート（１５ａ）によって固定して防振本体（１１）を構成し、
前記防振本体を，前記振動取手の上から被せた後，該防振本体の周端部を，該周端部に穿設した複数の孔部（１７）に，絞り手段（１６）である紐材（１６ａ）を挿通して絞り，少なくとも，前記振動取手の上面と側面を覆った状態で固定するものである振動取手用防振具。
【発明の詳細な説明】
【０００１】
【発明の属する技術分野】本発明は、例えば、エアー式バフ機のような振動工具の振動する取手（振動取手）に取付け、人体に伝わる振動を緩和する防振具に関するものである。
【０００２】
【従来の技術】図１を参照して説明する。木材や金属等を研磨する振動工具１として、エアー式バフ機が使用が存在する。このエアー式バフ機は、その振動取手２の上にスイッチ３が設けられると共に、その下にサンドペーパー５を貼り付けた振動体４が設けられている。そして、スイッチ３の上から振動取手２を握って振動体４を振動させ、サンドぺーパーで木材等を研磨する。
【０００３】
【発明が解決しようとする課題】しかし、このエアー式バフ機は、振動体４の直上に設けられた振動取手２を握って使用するので、振動体４の振動が直接使用者の手に伝わり、健康上好ましくないといった問題がある。
【０００４】
本発明はこうした問題に鑑み創案されたもので、エアー式バフ機のような振動工具の振動取手に取付け、使用者の手に伝わる振動を緩和することのできる防振具を提供することを課題とする。
【０００５】
【課題を解決するための手段】図２乃至図５を参照して説明する。第一の発明は、振動工具１の振動取手２に取付け、使用者の手に伝わる振動を緩和する防振具であって、少なくとも、前記振動取手２の上面と側面を覆う立体形状を展開した平面形状の上シート１２、下シート１３および防振材１４を、前記上シート１２と下シート１３の間に防振材１４を挟み、固着手段１５によって固定して防振本体１１を構成し、前記防振本体１１を、前記振動取手２の上から被せた後、当該防振本体１１の周端部を、絞り手段１６によって絞り、少なくとも、前記振動取手２の上面と側面を覆った状態で固定するものである。
【０００６】
第二の発明は、振動工具１の振動取手２に取付け、使用者の手に伝わる振動を緩和する防振具であって、少なくとも、前記振動取手２の上面と側面を覆う略短円筒形状を展開した平面形状である円形の上シート１２と下シート１３、および円形部１４ａから複数の脚部１４ｂを突設した略歯車形状の防振材１４を、前記上シート１２と下シート１３の間に防振材１４を挟み、固着手段１５であるホットメルトシート１５ａによって固定して防振本体１１を構成し、前記防振本体１１を、前記振動取手２の上から被せた後、当該防振本体１１の周端部を、その周端部に穿設した複数の孔部１７に、絞り手段１６である紐材１６ａを挿通して絞り、少なくとも、前記振動取手２の上面と側面を覆った状態で固定するものである。
【０００７】
【発明の実施の形態】本発明に係る振動取手用防振具１０の実施形態を、図２乃至図５に示す。この防振具１０は、片手で握って使用する振動工具１であるエアー式バフ機の振動取手２に取付け、使用者の手に伝わる振動を緩和するものであり、防振本体１１および絞り手段１６である紐材１６ａを備える。このエアー式バフ機は、振動取手２の上にスイッチ３が設けられ、かつ、その下にサンドペーパー５を貼り付けた振動体４が設けられている。そして、スイッチ３の上から振動取手２を握って振動体４を振動させ、サンドぺーパーで木材等を研磨するものである。
【０００８】
なお、本実施形態では、エアー式バフ機の振動取手２に取付ける場合について説明するが、本発明の防振具１０は、エアー式バフ機への使用に限定されるものではなく、他の振動工具に取付けて使用することもできる。
【０００９】
本実施形態における防振具１０の防振本体１１は、布製の上シート１２と下シート１３、および軟質樹脂製あるいは軟質ゴム製の防振材１４を備える。上シート１２と下シート１３は、振動取手２の上面と側面を覆う略短円筒形状を展開した平面形状である円形とし、防振本体１１は、円形部１４ａから複数の脚部１４ｂを突設した略歯車形状としている。そして、上シート１２と下シート１３の間に防振材１４を挟み、固着手段１５であるホットメルトシート１５ａによって、当該上シート１２、下シート１３および防振材１４を熱融着し固定している。
【００１０】
なお、防振本体１１には、振動工具１への取付け容易性を考慮して取付開口部１１ａを形成することもできるし（図２参照）、また、成形容易性および成形コストを優先して形成しないようにすることもできる（図４参照）。
【００１１】
また、絞り手段１６である紐材１６ａは、防振本体１１の周端部に穿設した複数の孔部１７に挿通し、当該防振本体１１を振動取手２の上から被せた状態で絞り、それによって周端部をすぼめ、防振本体１１を振動取手２の上面と側面を覆った状態で固定する。この絞り手段１６は、図面では１列の環状仕様であるが、２列の環状仕様とする事も可能である。この際、防振本体１１の周端部はヒダ状となるが、このヒダ状部分を接着剤で接着することによって、防振本体１１を振動取手２にさらに安定姿勢で取付けることができる。
【００１２】
本実施形態に係る防振具１０は、エアー式バフ機の振動取手２と手の間に位置するので、振動体４の振動が防振具１０の防振材１４に効果的に吸収される。従って、手に伝わる振動が緩和され、使用者の健康を害するといった弊害がなくなる。
【００１３】
なお、本実施形態においては、上シート１２と下シート１３を布で構成したが、本発明はこれに限定されるものではなく、軟質材である撥水フィルムや皮などで構成することもできる。また、防振材１４は一層構造としているが、防振効果を高めるために異なる周波数を吸収する防振材との組合わせ等、多層構造としても良い。
【００１４】
さらに、本実施形態における振動取手２は略短円筒形状であるが、本発明は、球状、円錐状、円柱状、三角状などのあらゆる立体形状の振動取手２にも、それらの形状を展開した上シート１２、下シート１３および防振材１４を使用することによって対応することができる。
【００１５】
また、固着手段１５はホットメルトシート１５ａに限定されるものではなく、通常の接着剤、あるいは糸などによって固定することもできる。また、絞り手段１６は紐材１６ａに限定されず、弾性のゴム紐状のものを用いても良く、接着剤等であっても良い。
【００１６】
【発明の効果】第一の発明に係る振動取手用防振具１０は、振動工具１の振動取手２に防振材１４を備えた防振本体１１を取付けたので、振動が防振材１４に効果的に吸収される。従って、手に伝わる振動が緩和され、使用者の健康を害するといった問題を解決することができる。
【００１７】
第二の発明に係る振動取手用防振具１０は、第一の発明と同様、振動を防振材１４によって効果的に吸収させることができるので、使用者の健康を害するといった問題を解決することができる。また、上シート１２と下シート１３を円形とし、防振材１４を略歯車形状としたので、略短円筒形状の振動取手２に取付けて使用することによって、大きな防振効果を得ることができる。
【図面の簡単な説明】
【図１】エアー式バフ機を示す側面図である。
【図２】本発明に係る防振具の実施形態を示す平面図である。
【図３】図２のＸ−Ｘ線断面図である。
【図４】本発明に係る防振具の他の実施形態を示す平面図である。
【図５】図２に示す防振具をエアー式バフ機に取付けた状態を示す側面図である。
【符号の説明】
１        振動工具
２        振動取手
３        スイッチ
４        振動体
５        サンドペーパー
１０      防振具
１１      防振本体
１１ａ    取付開口部
１２      上シート
１３      下シート
１４      防振材
１４ａ    円形部
１４ｂ    脚部
１５      固着手段
１５ａ    ホットメルトシート
１６      絞り手段
１６ａ    紐材
１７      孔部
【図１】
2004255537.tif 000003
【図２】
2004255537.tif 000004
【図３】
2004255537.tif 000005
【図４】
2004255537.tif 000006
【図５】
2004255537.tif 000007